(57)【特許請求の範囲】
【請求項１】
直接拡散ＣＤＭＡ方式を利用したセルラーシステムにおけるＣＤＭＡ送信信号は、拡散符号に対する初期同期を行うためのセルサーチ用制御チャネルと、共通制御シンボルを含む共通制御用チャネルと、共通パイロットシンボルを含む共通パイロットチャネルと、情報シンボルを含む情報チャネルとを備え、
前記セルサーチ用制御チャネルは、各基地局で共通な拡散符号であり、シンボル長の符号長を持ち、規定されたタイミングでバースト的で周期的な第１のショートコードと、シンボル周期よりも長い繰返し周期を持ち、基地局毎に異なるロングコードと、基地局毎に異なる複数のロングコードを複数のロングコードグループにグループ化することにより割当てたロングコードグループ用拡散符号であり、シンボル長の符号長を持ち、前記第１のショートコードと同一の規定されたタイミングでバースト的で、周期的な第２のショートコードとを有し、
前記共通制御用チャネル、共通パイロットチャネル及び情報チャネルが、それぞれ規定されたチャネル用ショートコードと前記ロングコードで２重に拡散されており、
前記ＣＤＭＡ送信信号に基づいてセルサーチを行うＣＤＭＡ受信装置において、
前記ロングコードを同定するための前記ＣＤＭＡ送信信号との相関出力を得るサーチャー部と、
前記ＣＤＭＡ送信信号に基づいて、基地局からの伝搬路のマルチパス成分を識別してＲＡＫＥ合成するための有効パスを規定するパスサーチ部と、
共通制御用シンボル及び情報シンボルの逆拡散、同期、復調、Ｒａｋｅ合成を行う復調部と、
各部の制御を行う制御部とを備え、
前記サーチャー部は、
前記第１のショートコードに対する前記第２のショートコードの共通符号構造部分と同一符号である共通参照符号と前記ＣＤＭＡ送信信号との相関を検出する共通相関器ブロックと、
前記第２のショートコードに対する前記第１のショートコードの差異符号構造部分と同一符号である第１の差異参照符号と前記共通相関器ブロックからの相関出力との相関を検出する第１のショートコード用相関器ブロックと、
前記第１のショートコードに対する前記第２のショートコードの差異符号構造部分と同一符号である第２の差異参照符号と前記共通相関器ブロックからの相関出力との相関を検出する第２のショートコード用相関ブロックと、
を備え、
前記制御部は、前記第２のショートコード用相関ブロックからの相関出力に基づいて、ロングコードグループ同定を行い、
前記復調部は、前記ロングコードグループ同定に基づいてロングコード同定を行い、
前記共通相関器ブロックは、前記共通参照符号に対するマッチトフィルタを備え、
前記第１のショートコード用相関器ブロックは、前記第１の差異参照符号に対するマッチトフィルタを備え、
前記第２のショートコード用相関器ブロックは、前記第２の差異参照符号に対するマッチトフィルタを備え、
前記制御部は、第１の差異参照符号の同期タイミングから１シンボル長だけ受信信号が入力された時点で、入力を遮断し、その遮断された期間において、前記第２の差異参照符号の符号系列を可変することによりロングコードグループ同定を行うことを特徴とするＣＤＭＡ受信装置。
【請求項２】
直接拡散ＣＤＭＡ方式を利用したセルラーシステムにおけるＣＤＭＡ送信信号は、拡散符号に対する初期同期を行うためのセルサーチ用制御チャネルと、共通制御シンボルを含む共通制御用チャネルと、共通パイロットシンボルを含む共通パイロットチャネルと、情報シンボルを含む情報チャネルとを備え、
前記セルサーチ用制御チャネルは、各基地局で共通な拡散符号であり、シンボル長の符号長を持ち、規定されたタイミングでバースト的で周期的な第１のショートコードと、シンボル周期よりも長い繰返し周期を持ち、基地局毎に異なるロングコードと、基地局毎に異なる複数のロングコードを複数のロングコードグループにグループ化することにより割当てたロングコードグループ用拡散符号であり、シンボル長の符号長を持ち、前記第１のショートコードと同一の規定されたタイミングでバースト的で、周期的な第２のショートコードとを有し、
前記共通制御用チャネル、共通パイロットチャネル及び情報チャネルが、それぞれ規定されたチャネル用ショートコードと前記ロングコードで２重に拡散されており、
前記ＣＤＭＡ送信信号に基づいてセルサーチを行うＣＤＭＡ受信装置において、
前記ロングコードを同定するための前記ＣＤＭＡ送信信号との相関出力を得るサーチャー部と、
前記ＣＤＭＡ送信信号に基づいて、基地局からの伝搬路のマルチパス成分を識別してＲＡＫＥ合成するための有効パスを規定するパスサーチ部と、
共通制御用シンボル及び情報シンボルの逆拡散、同期、復調、Ｒａｋｅ合成を行う復調部と、
各部の制御を行う制御部とを備え、
前記サーチャー部は、
前記第１のショートコードに対する前記第２のショートコードの共通符号構造部分と同一符号である共通参照符号と前記ＣＤＭＡ送信信号との相関を検出する共通相関器ブロックと、
前記第２のショートコードに対する前記第１のショートコードの差異符号構造部分と同一符号である第１の差異参照符号と前記共通相関器ブロックからの相関出力との相関を検出する第１のショートコード用相関器ブロックと、
前記第１のショートコードに対する前記第２のショートコードの差異符号構造部分と同一符号である第２の差異参照符号と前記共通相関器ブロックからの相関出力との相関を検出する第２のショートコード用相関ブロックと、
を備え、
前記制御部は、前記第２のショートコード用相関ブロックからの相関出力に基づいて、ロングコードグループ同定を行い
前記復調部は、前記ロングコードグループ同定に基づいてロングコード同定を行い、
前記共通相関器ブロックは、前記共通参照符号に対するマッチトフィルタを備え、前記ショートコードの符号長のシフトレジスタを保有する前記マッチトフィルタは、そのシフトレジスタへの入力を遮断する機構と、その遮断した場合にシフトレジスタの状態を循環するフィードバックラインが設けられており、
前記第１のショートコード用相関器ブロックは、前記第１の差異参照符号に対するマッチトフィルタを備え、
前記第２のショートコード用相関器ブロックは、前記第２の差異参照符号に対するスライディング相関器を備え、
前記制御部は、第１の差異参照符号の同期タイミングから１シンボル長だけ受信信号が入力された時点で、入力を遮断し、その遮断された期間において、前記第２の差異参照符号の符号系列を、前記第２の差異参照符号のチップ数だけ前記共通相関器のシフトレジスタを循環シフトする毎に、可変することによりロングコードグループ同定を行うことを特徴とするＣＤＭＡ受信装置。
【請求項３】
直接拡散ＣＤＭＡ方式を利用したセルラーシステムにおけるＣＤＭＡ送信信号は、拡散符号に対する初期同期を行うためのセルサーチ用制御チャネルと、共通制御シンボルを含む共通制御用チャネルと、共通パイロットシンボルを含む共通パイロットチャネルと、情報シンボルを含む情報チャネルとを備え、
前記セルサーチ用制御チャネルは、各基地局で共通な拡散符号であり、シンボル長の符号長を持ち、規定されたタイミングでバースト的で周期的な第１のショートコードと、シンボル周期よりも長い繰返し周期を持ち、基地局毎に異なるロングコードと、基地局毎に異なる複数のロングコードを複数のロングコードグループにグループ化することにより割当てたロングコードグループ用拡散符号であり、シンボル長の符号長を持ち、前記第１のショートコードと同一の規定されたタイミングでバースト的で、周期的な第２のショートコードとを有し、
前記共通制御用チャネル、共通パイロットチャネル及び情報チャネルが、それぞれ規定されたチャネル用ショートコードと前記ロングコードで２重に拡散されており、
前記ＣＤＭＡ送信信号に基づいてセルサーチを行うＣＤＭＡ受信装置において、
前記ロングコードを同定するための前記ＣＤＭＡ送信信号との相関出力を得るサーチャー部と、
前記ＣＤＭＡ送信信号に基づいて、基地局からの伝搬路のマルチパス成分を識別してＲＡＫＥ合成するための有効パスを規定するパスサーチ部と、
共通制御用シンボル及び情報シンボルの逆拡散、同期、復調、Ｒａｋｅ合成を行う復調部と、
各部の制御を行う制御部とを備え、
前記サーチャー部は、
前記第１のショートコードに対する前記第２のショートコードの共通符号構造部分と同一符号である共通参照符号と前記ＣＤＭＡ送信信号との相関を検出する共通相関器ブロックと、
前記第１のショートコードと前記第２のショートコードのそれぞれの差異符号構造部分と同一符号である差異参照符号と前記共通相関器ブロックの相関出力との相関を検出するショートコード用相関器ブロックと、
を備え、
前記復調部は、前記ロングコードグループ同定に基づいてロングコード同定を行い、
前記制御部は、前記ショートコード用相関器ブロックから得られた、前記第１のショートコードの差異参照符号の同期タイミングから１シンボル長だけ受信信号が入力された時点で、入力を遮断する機能を有し、その遮断された期間において、前記第２のショートコードの差異参照符号に切り替え、さらに前記第２のショートコードの差異参照符号を可変することによりロングコードグループ同定を行うことを特徴とするＣＤＭＡ受信装置。
【請求項４】
直接拡散ＣＤＭＡ方式を利用したセルラーシステムにおけるＣＤＭＡ送信信号は、拡散符号に対する初期同期を行うためのセルサーチ用制御チャネルと、共通制御シンボルを含む共通制御用チャネルと、共通パイロットシンボルを含む共通パイロットチャネルと、情報シンボルを含む情報チャネルとを備え、
前記セルサーチ用制御チャネルは、各基地局で共通な拡散符号であり、シンボル長の符号長を持ち、規定されたタイミングでバースト的で周期的な第１のショートコードと、シンボル周期よりも長い繰返し周期を持ち、基地局毎に異なるロングコードと、基地局毎に異なる複数のロングコードを複数のロングコードグループにグループ化することにより割当てたロングコードグループ用拡散符号であり、シンボル長の符号長を持ち、前記第１のショートコードと同一の規定されたタイミングでバースト的で、周期的な第２のショートコードとを有し、
前記共通制御用チャネル、共通パイロットチャネル及び情報チャネルが、それぞれ規定されたチャネル用ショートコードと前記ロングコードで２重に拡散されており、
前記ＣＤＭＡ送信信号に基づいてセルサーチを行うＣＤＭＡ受信装置において、
前記ロングコードを同定するための前記ＣＤＭＡ送信信号との相関出力を得るサーチャー部と、
前記ＣＤＭＡ送信信号に基づいて、基地局からの伝搬路のマルチパス成分を識別してＲＡＫＥ合成するための有効パスを規定するパスサーチ部と、
共通制御用シンボル及び情報シンボルの逆拡散、同期、復調、Ｒａｋｅ合成を行う復調部と、
各部の制御を行う制御部とを備え、
前記サーチャー部は、
前記第１のショートコードに対する前記第２のショートコードの共通符号構造部分と同一符号である共通参照符号と前記ＣＤＭＡ送信信号との相関を検出する共通相関器ブロックと、
前記第１のショートコードと前記第２のショートコードのそれぞれの差異符号構造部分と同一符号である差異参照符号と前記共通相関器ブロックの相関出力との相関を検出するショートコード用相関器ブロックと、
を備え、
前記制御部は、前記第1あるいは第２のショートコードの差異符号構造に切り換えて相関をショートコード用相関器ブロックに検出させるとともに、前記第２のショートコード用相関ブロックの相関に基いて、ロングコードグループ同定を行い、
前記復調部は、前記ロングコードグループ同定に基づいてロングコード同定を行い、
前記共通相関器ブロックは、共通参照符号に対するマッチトフィルタを備え、前記ショートコードの符号長のシフトレジスタを保有する前記マッチトフィルタは、そのシフトレジスタへの入力を遮断する機構と、その遮断した場合にシフトレジスタの状態を循環するフィードバックラインが設けられており、
前記制御部は、前記ショートコード用相関器ブロックから得られた、前記第１のショートコードの差異参照符号の同期タイミングから１シンボル長だけ受信信号が入力された時点で、入力を遮断する機能を有し、その遮断された期間において、前記第２のショートコードの差異参照符号に切り替え、さらに前記第２のショートコードの差異参照符号のチップ数だけ前記共通相関器のシフトレジスタを循環シフトする毎に、可変することによりロングコードグループ同定を行うことを特徴とするＣＤＭＡ受信装置。
【請求項５】
請求項１から４のいずれかに記載のＣＤＭＡ受信装置において、
前記制御部は、第１のショートコードに対する相関値による複数シンボル分の平均化を行い、その相関値のピークがあらかじめ規定された閾値以上の場合に、ロングコードグループ同定を行うことを特徴とするＣＤＭＡ受信装置。
【請求項６】
請求項１から４のいずれかに記載のＣＤＭＡ受信装置において、
前記復調部は、前記共通制御用チャネルと前記共通パイロットチャネルをシンボル単位で逆拡散し、それら逆拡散信号を合成することによりロングコード同定を行うことを特徴とするＣＤＭＡ受信装置。
【請求項７】
請求項１または３記載のＣＤＭＡ受信装置において、
第１の差異参照符号に対するマッチトフィルタは、前記共通参照符号の符号長毎にタップしたシフトレジスタから構成されていることを特徴とするＣＤＭＡ受信装置。
【請求項８】
請求項２または４記載のＣＤＭＡ受信装置において、
第１のショートコード及び第２のショートコードの符号系列に対するマッチトフィルタは、共通参照符号の符号長毎にタップしたシフトレジスタを備えることを特徴とするＣＤＭＡ受信装置。
【請求項９】
請求項２または４記載のＣＤＭＡ受信装置において、
第２の差異参照符号に対するスライディング相関器の積分時間は、ショートコードの周期長と同一かそれ以下であることを特徴とするＣＤＭＡ受信装置。
【発明の詳細な説明】
【０００１】
【発明の属する技術分野】
本発明は、直接拡散ＣＤＭＡ（Code Division Multiple Access）方式を用いたセルラーシステムにおいて、高速セルサーチを実現するＣＤＭＡ受信装置に関する。
【０００２】
【従来の技術】
スペクトル拡散通信及びスペクトル拡散通信技術を利用したＣＤＭＡシステムは、マルチパスフェージングに強い、データの高速化が可能、通信品質が良好、周波数利用効率が良いという利点があるため、次世代の移動通信及びマルチメディア無線通信に有望な通信方式である。ＣＤＭＡシステムにおける送信信号は、送信側においてチャネル毎に異なる拡散符号により、伝送すべき情報信号の帯域幅よりもはるかに広い帯域に拡散変調されたＣＤＭＡ信号として送信される。一方、受信側では、拡散されたＣＤＭＡ信号を元の信号帯域幅に復元するために、送信側で規定された拡散符号情報を基にしてＣＤＭＡ信号受信処理が実行される。この元の信号帯域幅に復元する動作は逆拡散と呼ばれ、逆拡散はマッチトフィルタ（Matched Filter：以降ＭＦと言う）による手法及びスライディング相関器（Sliding Correlator：以降ＳＣと言う）による手法が知られている。
【０００３】
ＣＤＭＡセルラーシステムでは各基地局において、制御信号やユーザへの情報を規定するチャネルに拡散符号周期がその制御信号や情報シンボル長よりも長いロングコードと、拡散符号周期がシンボル長であるショートコードの複雑な２重拡散符号が割り当てられる。従って、受信機はその複雑な拡散符号に対する初期同期（セルサーチ）及び各チャネルに対する同期、復調を高速に実行する必要がある。
【０００４】
ＣＤＭＡセルラーシステムの拡散符号及びセルサーチ法については、「ＤＳ−ＣＤＭＡ基地局間非同期セルラー方式におけるロングコードの２段階高速初期同期法」（電子情報通信学会技術研究報告ＲＣＳ９６−１２）に示されている。図１０、図１１は、この文献における制御チャネルの拡散符号の構成およびセルサーチ法を説明したものである。各基地局には異なるロングコードが割り当てられ、また、その基地局における制御チャネル、情報チャネル等の各チャネルにはそれぞれ固有のショートコードが割り当てられるため、ロングコードとショートコードの２重拡散となる。
【０００５】
図１０は、ある一つの基地局の制御チャネル構成を示している。制御チャネルは、ロングコード周期の間にロングコード１００による拡散をマスクするロングコードマスク１０１が設けられることで、全ての基地局で共通のショートコード１０２のみで拡散される区間１０１を周期的に生成している。
【０００６】
図１１は、図１０に示したコードに対するセルサーチ法を実行するＣＤＭＡ受信装置のブロック図である。セルサーチの第１段階として、受信ベースバンド信号１１０は制御部１１３からの制御により、スイッチ１１１を介して共通のショートコード１０２に対するＭＦ１１５等から構成されているコードタイミング同定部１１２に入力される。受信信号１１０はマッチトフィルタ１１５でショートコード発生器１１６から生成されたショートコードレプリカとの相関演算が実行され、ショートコード１０２のみで拡散された信号区間であるマスク部１０１の受信タイミングにおいて相関ピークが検出される。
【０００７】
この検出されたタイミングがロングコード同期タイミングであり、第２段階のロングコード同定のために利用される。第２段階では、制御部１１３からの制御により受信ベースバンド信号１１０が、スイッチ１１１を介してロングコード同定部１１４のＳＣ１１８に入力される。制御部１１３からの制御により上記検出されたロングコード同期タイミングでロングコード発生器１１７及びショートコード発生器１１６から生成されたロングコードとショートコードのレプリカが生成され、乗算器１１９でそれらのコードが乗算された結果、２重拡散のレプリカが生成される。そしてＳＣ１１８により受信ベースバンド信号１１０に逆拡散が実行される。ロングコードは基地局毎に異なるため、複数のロングコードの中から一つ選択して、上記第２段階のセルサーチをその複数のロングコードに対して全て繰り返し実行し、目的のロングコードを探索する。
【０００８】
以上のように、ロングコードのタイミング同定とロングコード同定を分離することでセルサーチの高速化がなされる。この手法は２段階セルサーチ法と呼ばれる。さらにセルサーチの高速化を図るための手法として、「ＤＳ−ＣＤＭＡ基地局間非同期セルラーにおけるロングコードマスクを用いる高速セルサーチ法」（電子情報通信学会技術研究報告ＲＣＳ９６−１１２）が提案されている。この手法は３段階セルサーチ法と呼ばれ、ロングコードタイミングを検出する第１段階、複数のロングコードをグループ化して、そのグループに固有のコードを割当て、そのロングコードグループの同定を行う第２段階、及びロングコードの同定を行う第３段階から成る。
【０００９】
図１２に３段階セルサーチ法における制御チャネルの拡散符号の構成を示す。ロングコード１００及び共通ショートコード１０２は上記した２段階セルサーチ法と同一の構成である。３段階セルサーチ法では、ロングコードは周期が長く、さらに種類が多いことに対応するために、複数のロングコードをグループ化したコードであるロングコードグループ用ショートコード１２０がロングコードマスク部１０１と同一の区間に周期的に設けられている。３段階セルサーチ法は図１１で説明した２段階セルサーチ法と同様に、まず第１段階として、ＭＦ１１５を用いて、ショートコード１０２の相関ピークがマスク部１０１で検出され、この検出タイミングがロングコード同期タイミングである。
【００１０】
第２段階では、ロングコードグループ用ショートコード１２０との相関演算をマッチトフィルタ１１５で実行するため、ショートコード発生器１１６にはロングコードグループ用コードのレプリカが設定される。ロングコードグループ用ショートコード１２０は複数あるため、全てのロングコードグループ用ショートコード１２０のレプリカをショートコード発生器１１６に順次設定し、各レプリカから得られたマッチトフィルタ１１５の相関出力値を制御部１１３で比較することにより、ロングコードグループ用ショートコード１２０が決定される。
【００１１】
第３段階では、第１段階で得たロングコード同期タイミングと第２段階で絞り込んだロングコードを利用してロングコード同定を行う。
３段階セルサーチ法は、ロングコードグループ用ショートコード１２０を用いることによりロングコード候補数を絞り込むため、ロングコード同定のためのスライディング相関処理時間を短縮できる。
【００１２】
【発明が解決しようとする課題】
しかし、上記３段階セルサーチ法では、同定すべきロングコードの絞り込みが行われても、ＳＣ１１８を用いるため一つのロングコードに対する相関処理時間が長くなる問題がある。
また、セルサーチ用の拡散符号として共通ショートコード１０２、ロングコードグループ用ショートコード１２０及びロングコード１００を使用しており、これらの拡散符号はそれぞれ特有の性質を保有している。図１１における従来の受信機は汎用性はあるが、各拡散符号の特性を十分に反映した構成とは成っていないため、セルサーチ時間が長くなる問題に加え、セルサーチ部の回路規模が大きくなる問題があった。
【００１３】
そこで、本発明は、上記課題を解決するためになされたものであり、その目的は、各拡散符号の特性を利用することにより、高速セルサーチを行うことができで、簡易な構成を持ったＣＤＭＡ受信装置を提供することである。
【００１４】
【課題を解決するための手段】
上記目的を達成するため、第１の発明は、直接拡散ＣＤＭＡ方式を利用したセルラーシステムにおけるＣＤＭＡ送信信号は、拡散符号に対する初期同期を行うためのセルサーチ用制御チャネルと、共通制御シンボルを含む共通制御用チャネルと、共通パイロットシンボルを含む共通パイロットチャネルと、情報シンボルを含む情報チャネルとを備え、前記セルサーチ用制御チャネルは、各基地局で共通な拡散符号であり、シンボル長の符号長を持ち、規定されたタイミングでバースト的で周期的な第１のショートコードと、シンボル周期よりも長い繰返し周期を持ち、基地局毎に異なるロングコードと、基地局毎に異なる複数のロングコードを複数のロングコードグループにグループ化することにより割当てたロングコードグループ用拡散符号であり、シンボル長の符号長を持ち、前記第１のショートコードと同一の規定されたタイミングでバースト的で、周期的な第２のショートコードとを有し、前記共通制御用チャネル、共通パイロットチャネル及び情報チャネルが、それぞれ規定されたチャネル用ショートコードと前記ロングコードで２重に拡散されており、前記ＣＤＭＡ送信信号に基づいてセルサーチを行うＣＤＭＡ受信装置である。
そして、前記ロングコードを同定するための前記ＣＤＭＡ送信信号との相関出力を得るサーチャー部と、前記ＣＤＭＡ送信信号に基づいて、基地局からの伝搬路のマルチパス成分を識別してＲＡＫＥ合成するための有効パスを規定するパスサーチ部と、共通制御用シンボル及び情報シンボルの逆拡散、同期、復調、Ｒａｋｅ合成を行う復調部と、各部の制御を行う制御部とを備える。
前記サーチャー部は、前記第１のショートコードに対する前記第２のショートコードの共通符号構造部分と同一符号である共通参照符号と前記ＣＤＭＡ送信信号との相関を検出する共通相関器ブロックと、前記第２のショートコードに対する前記第１のショートコードの差異符号構造部分と同一符号である第１の差異参照符号と前記共通相関器ブロックからの相関出力との相関を検出する第１のショートコード用相関器ブロックと、前記第１のショートコードに対する前記第２のショートコードの差異符号構造部分と同一符号である第２の差異参照符号と前記共通相関器ブロックからの相関出力との相関を検出する第２のショートコード用相関ブロックとを備える。
前記制御部は、前記第２のショートコード用相関ブロックからの相関出力に基づいて、ロングコードグループ同定を行い、前記復調部は、前記ロングコードグループ同定に基づいてロングコード同定を行う。
前記共通相関器ブロックは、前記共通参照符号に対するマッチトフィルタを備え、前記第１のショートコード用相関器ブロックは、前記第１の差異参照符号に対するマッチトフィルタを備え、前記第２のショートコード用相関器ブロックは、前記第２の差異参照符号に対するマッチトフィルタを備える。
前記制御部は、第１の差異参照符号の同期タイミングから１シンボル長だけ受信信号が入力された時点で、入力を遮断し、その遮断された期間において、前記第２の差異参照符号の符号系列を可変することによりロングコードグループ同定を行うことを特徴とする。
【００１５】
第２の発明は、直接拡散ＣＤＭＡ方式を利用したセルラーシステムにおけるＣＤＭＡ送信信号は、拡散符号に対する初期同期を行うためのセルサーチ用制御チャネルと、共通制御シンボルを含む共通制御用チャネルと、共通パイロットシンボルを含む共通パイロットチャネルと、情報シンボルを含む情報チャネルとを備え、前記セルサーチ用制御チャネルは、各基地局で共通な拡散符号であり、シンボル長の符号長を持ち、規定されたタイミングでバースト的で周期的な第１のショートコードと、シンボル周期よりも長い繰返し周期を持ち、基地局毎に異なるロングコードと、基地局毎に異なる複数のロングコードを複数のロングコードグループにグループ化することにより割当てたロングコードグループ用拡散符号であり、シンボル長の符号長を持ち、前記第１のショートコードと同一の規定されたタイミングでバースト的で、周期的な第２のショートコードとを有し、前記共通制御用チャネル、共通パイロットチャネル及び情報チャネルが、それぞれ規定されたチャネル用ショートコードと前記ロングコードで２重に拡散されており、前記ＣＤＭＡ送信信号に基づいてセルサーチを行うＣＤＭＡ受信装置である。
そして、前記ロングコードを同定するための前記ＣＤＭＡ送信信号との相関出力を得るサーチャー部と、前記ＣＤＭＡ送信信号に基づいて、基地局からの伝搬路のマルチパス成分を識別してＲＡＫＥ合成するための有効パスを規定するパスサーチ部と、共通制御用シンボル及び情報シンボルの逆拡散、同期、復調、Ｒａｋｅ合成を行う復調部と、
各部の制御を行う制御部とを備える。
前記サーチャー部は、前記第１のショートコードに対する前記第２のショートコードの共通符号構造部分と同一符号である共通参照符号と前記ＣＤＭＡ送信信号との相関を検出する共通相関器ブロックと、前記第２のショートコードに対する前記第１のショートコードの差異符号構造部分と同一符号である第１の差異参照符号と前記共通相関器ブロックからの相関出力との相関を検出する第１のショートコード用相関器ブロックと、前記第１のショートコードに対する前記第２のショートコードの差異符号構造部分と同一符号である第２の差異参照符号と前記共通相関器ブロックからの相関出力との相関を検出する第２のショートコード用相関ブロックとを備える。
前記制御部は、前記第２のショートコード用相関ブロックからの相関出力に基づいて、ロングコードグループ同定を行い、前記復調部は、前記ロングコードグループ同定に基づいてロングコード同定を行う。
前記共通相関器ブロックは、前記共通参照符号に対するマッチトフィルタを備え、前記ショートコードの符号長のシフトレジスタを保有する前記マッチトフィルタは、そのシフトレジスタへの入力を遮断する機構と、その遮断した場合にシフトレジスタの状態を循環するフィードバックラインが設けられており、前記第１のショートコード用相関器ブロックは、前記第１の差異参照符号に対するマッチトフィルタを備え、前記第２のショートコード用相関器ブロックは、前記第２の差異参照符号に対するスライディング相関器を備える。
前記制御部は、第１の差異参照符号の同期タイミングから１シンボル長だけ受信信号が入力された時点で、入力を遮断し、その遮断された期間において、前記第２の差異参照符号の符号系列を、前記第２の差異参照符号のチップ数だけ前記共通相関器のシフトレジスタを循環シフトする毎に、可変することによりロングコードグループ同定を行うことを特徴とする。
【００１６】
第３の発明は、直接拡散ＣＤＭＡ方式を利用したセルラーシステムにおけるＣＤＭＡ送信信号は、拡散符号に対する初期同期を行うためのセルサーチ用制御チャネルと、共通制御シンボルを含む共通制御用チャネルと、共通パイロットシンボルを含む共通パイロットチャネルと、情報シンボルを含む情報チャネルとを備え、前記セルサーチ用制御チャネルは、各基地局で共通な拡散符号であり、シンボル長の符号長を持ち、規定されたタイミングでバースト的で周期的な第１のショートコードと、シンボル周期よりも長い繰返し周期を持ち、基地局毎に異なるロングコードと、基地局毎に異なる複数のロングコードを複数のロングコードグループにグループ化することにより割当てたロングコードグループ用拡散符号であり、シンボル長の符号長を持ち、前記第１のショートコードと同一の規定されたタイミングでバースト的で、周期的な第２のショートコードとを有し、前記共通制御用チャネル、共通パイロットチャネル及び情報チャネルが、それぞれ規定されたチャネル用ショートコードと前記ロングコードで２重に拡散されており、前記ＣＤＭＡ送信信号に基づいてセルサーチを行うＣＤＭＡ受信装置である。
そして、前記ロングコードを同定するための前記ＣＤＭＡ送信信号との相関出力を得るサーチャー部と、前記ＣＤＭＡ送信信号に基づいて、基地局からの伝搬路のマルチパス成分を識別してＲＡＫＥ合成するための有効パスを規定するパスサーチ部と、共通制御用シンボル及び情報シンボルの逆拡散、同期、復調、Ｒａｋｅ合成を行う復調部と、各部の制御を行う制御部とを備える。
前記サーチャー部は、前記第１のショートコードに対する前記第２のショートコードの共通符号構造部分と同一符号である共通参照符号と前記ＣＤＭＡ送信信号との相関を検出する共通相関器ブロックと、前記第１のショートコードと前記第２のショートコードのそれぞれの差異符号構造部分と同一符号である差異参照符号と前記共通相関器ブロックの相関出力との相関を検出するショートコード用相関器ブロックと、を備える。
前記復調部は、前記ロングコードグループ同定に基づいてロングコード同定を行う。
前記制御部は、前記ショートコード用相関器ブロックから得られた、前記第１のショートコードの差異参照符号の同期タイミングから１シンボル長だけ受信信号が入力された時点で、入力を遮断する機能を有し、その遮断された期間において、前記第２のショートコードの差異参照符号に切り替え、さらに前記第２のショートコードの差異参照符号を可変することによりロングコードグループ同定を行うことを特徴とする。
【００１７】
第４の発明は、直接拡散ＣＤＭＡ方式を利用したセルラーシステムにおけるＣＤＭＡ送信信号は、拡散符号に対する初期同期を行うためのセルサーチ用制御チャネルと、共通制御シンボルを含む共通制御用チャネルと、共通パイロットシンボルを含む共通パイロットチャネルと、情報シンボルを含む情報チャネルとを備え、前記セルサーチ用制御チャネルは、各基地局で共通な拡散符号であり、シンボル長の符号長を持ち、規定されたタイミングでバースト的で周期的な第１のショートコードと、シンボル周期よりも長い繰返し周期を持ち、基地局毎に異なるロングコードと、基地局毎に異なる複数のロングコードを複数のロングコードグループにグループ化することにより割当てたロングコードグループ用拡散符号であり、シンボル長の符号長を持ち、前記第１のショートコードと同一の規定されたタイミングでバースト的で、周期的な第２のショートコードとを有し、前記共通制御用チャネル、共通パイロットチャネル及び情報チャネルが、それぞれ規定されたチャネル用ショートコードと前記ロングコードで２重に拡散されており、前記ＣＤＭＡ送信信号に基づいてセルサーチを行うＣＤＭＡ受信装置である。
そして、前記ロングコードを同定するための前記ＣＤＭＡ送信信号との相関出力を得るサーチャー部と、前記ＣＤＭＡ送信信号に基づいて、基地局からの伝搬路のマルチパス成分を識別してＲＡＫＥ合成するための有効パスを規定するパスサーチ部と、共通制御用シンボル及び情報シンボルの逆拡散、同期、復調、Ｒａｋｅ合成を行う復調部と、各部の制御を行う制御部とを備える。
前記サーチャー部は、前記第１のショートコードに対する前記第２のショートコードの共通符号構造部分と同一符号である共通参照符号と前記ＣＤＭＡ送信信号との相関を検出する共通相関器ブロックと、前記第１のショートコードと前記第２のショートコードのそれぞれの差異符号構造部分と同一符号である差異参照符号と前記共通相関器ブロックの相関出力との相関を検出するショートコード用相関器ブロックと、を備える。
前記制御部は、前記第1あるいは第２のショートコードの差異符号構造に切り換えて相関をショートコード用相関器ブロックに検出させるとともに、前記第２のショートコード用相関ブロックの相関に基いて、ロングコードグループ同定を行い、前記復調部は、前記ロングコードグループ同定に基づいてロングコード同定を行う。
前記共通相関器ブロックは、共通参照符号に対するマッチトフィルタを備え、前記ショートコードの符号長のシフトレジスタを保有する前記マッチトフィルタは、そのシフトレジスタへの入力を遮断する機構と、その遮断した場合にシフトレジスタの状態を循環するフィードバックラインが設けられており、前記制御部は、前記ショートコード用相関器ブロックから得られた、前記第１のショートコードの差異参照符号の同期タイミングから１シンボル長だけ受信信号が入力された時点で、入力を遮断する機能を有し、その遮断された期間において、前記第２のショートコードの差異参照符号に切り替え、さらに前記第２のショートコードの差異参照符号のチップ数だけ前記共通相関器のシフトレジスタを循環シフトする毎に、可変することによりロングコードグループ同定を行うことを特徴とする。
【００１８】
第５の発明は、第１から第４の発明のいずれかのＣＤＭＡ受信装置において、
前記制御部は、第１のショートコードに対する相関値による複数シンボル分の平均化を行い、その相関値のピークがあらかじめ規定された閾値以上の場合に、ロングコードグループ同定を行うことを特徴とする。
【００１９】
第６の発明は、前記第１から第４の発明のいずれかのＣＤＭＡ受信装置において、
前記復調部は、前記通制御用チャネルと前記共通パイロットチャネルをシンボル単位で逆拡散し、それら逆拡散信号を合成することによりロングコード同定を行うことを特徴とする。
【００２０】
第７の発明は、第１または第３の発明のＣＤＭＡ受信装置において、
第１のショートコードの差異参照符号の符号系列に対するマッチトフィルタは、前記共通参照符号の符号長毎にタップしたシフトレジスタから構成されていることを特徴とする。
【００２１】
第８の発明は、第２または第４の発明のＣＤＭＡ受信装置において、
第１のショートコード及び第２のショートコードの符号系列に対するマッチトフィルタは、共通参照符号の符号長毎にタップしたシフトレジスタを備えることを特徴とする。
【００２２】
第９の発明は、第２または第４の発明のＣＤＭＡ受信装置において、
第２の差異参照符号に対するスライディング相関器の積分時間は、ショートコード周期長と同一かそれ以下であることを特徴とする。
【００２３】
【発明の実施の形態】
以下に図面を用いて本発明の実施の形態を詳細に説明する。
図１は本発明の直接拡散方式を利用したＣＤＭＡシステムの受信部のブロック図を示している。ここで、基地局から送信されるＣＤＭＡ信号は、図２に示すように、セルサーチ用の制御チャネル９５、共通制御用シンボルを送る共通制御用チャネル９６、共通のパイロットシンボルを送る共通パイロットチャネル９７及び各ユーザ情報を送る情報チャネル９８等から構成されている。ここで、共通制御用チャネル９６、共通パイロットチャネル９７及び各情報チャネル９８等は、直交符号などから構成されたチャネル用ショートコード（コードをＣ１，Ｃ２・・・とする）と後述するロングコード（コードをＣＬとする）で２重拡散されている。
共通制御用チャネル９６は、図１０の従来例で示したように周期的にマスクシンボル部１０１が配されている。
【００２４】
セルサーチ用制御チャネル９５の拡散符号は、第１のショートコード(ＰＳＣ：Primary Search Code)９０、第２のショートコード（ＳＳＣ：Secondary Search Code）であるロングコードグループコード９１から構成されている。第１のショートコードＰＳＣ９０のコードをＣＰとし、ロングコードグループコード９１のコードをＣＳ１，ＣＳ２，ＣＳ３・・・とする。
前記ＰＳＣは各基地局で共通な拡散符号ＣＰであり、共通制御用シンボル及び共通パイロットシンボルのシンボル長の符号長を持ち、規定されたタイミングでバースト的に送信される。
前記ロングコードＣＬは、シンボル周期よりも長い繰返し周期を持ち、基地局（セル）毎に異なるコードが割り当てられている。
前記ロングコードグループコードは、前記ロングコードを複数のロングコードグループにグループ化し、そのグループに割り当てた拡散符号ＣＳ１，ＣＳ２，ＣＳ３・・・であり、前記ＰＳＣと同一のシンボル長の符号長を持ち、前記ＰＳＣと同一の規定されたタイミングでバースト的に送信される。
【００２５】
本発明のＣＤＭＡ受信装置は、このＣＤＭＡ送信信号を受信するために、図１に示すように基地局毎に異なるロングコードを同定するための前記ＣＤＭＡ送信信号との相関出力を得るサーチャー部１、基地局と移動局間の伝搬路のマルチパス成分を識別しＲａｋｅ合成するための有効パスを規定するパスサーチ部４０、前記共通制御用シンボル、前記共通パイロットシンボル及び前記その他の情報シンボル等の逆拡散／同期／復調／Ｒａｋｅ合成を行う同期／復調部８０、サーチャー部１のセルサーチ用符号を制御、パスサーチ部４０のパスタイミングの制御、同期／復調部８０のタイミング制御等を行う制御部７０から構成されている。
【００２６】
サーチャー部１は、共通相関器ブロック１０と、ＰＳＣ用相関器ブロック２０と、ＳＳＣ用相関器ブロック３０とから構成されている。前記サーチャー部１において、ＰＳＣとＳＳＣの相関はその符号構造の共通性及び差異に基づいてその符号構造を共通符号構造部と差異符号構造部に分離される。共通符号構造部に対しては共通相関器ブロック１０で共通参照符号構造との相関を検出する。差異符号構造部に対しては、第１のショートコード用ブロックであるＰＳＣ用相関器ブロック２０と第２のショーコード用相関ブロックであるＳＳＣ用相関ブロック３０にて、差異参照符号構造との相関をそれぞれ検出する。
【００２７】
共通相関器ブロック１０は、制御部７０の制御により前記ＰＳＣ用またはＳＳＣ用の共通参照符号構造２２１を生成するＲＥＦコード発生器１２と、生成されたＰＳＣ用またはＳＳＣ用の共通参照符号構造２２１と受信信号２００との相関を検出する共通相関器１１とから構成される。ＰＳＣ用相関器ブロック２０は、制御部７０の制御により前記ＰＳＣ用の第１の差異参照符号構造２２２を生成するＰＳＣ用ＲＥＦコード発生器２２と、生成されたＰＳＣ用の第１の差異参照符号構造２２２と前記共通相関器１１の出力信号２１０との相関を検出するＰＳＣ用ＭＦ２１とから構成される。ＳＳＣ用相関器ブロック３０は、制御部７０の制御により前記ＳＳＣ用の第２の差異参照符号構造２２３を生成するＳＳＣ用ＲＥＦコード発生器３２と、生成されたＳＳＣ用の第２の参照符号構造２２３と前記共通相関器１１の出力信号２１０との相関を検出するＳＳＣ用相関器３１とから構成される。
【００２８】
本発明のセルサーチ法の第１段階は、制御部７０の制御により共通相関器ブロック１０のＲＥＦコード発生器１２からＰＳＣ用の共通参照符号構造２２１を生成し、共通相関器１１により受信信号２００とＰＳＣ用の共通参照符号構造との相関を検出する。その相関出力２１０は、ＰＳＣ用相関器ブロック２０のＰＳＣ用ＭＦ２１に入力され、制御部７０の制御によりＰＳＣ用ＲＥＦコード発生器２２から生成されたＰＳＣ用の第１の差異参照符号構造２２２との相関が検出される。この結果、バースト的に規定されたタイミングで周期的なＰＳＣの相関出力信号２１１が得られる。このＰＳＣの規定されたタイミング周期をスロット周期とすれば、スロットタイミングが得られることになる。この周期的なＰＳＣ相関出力２１１を例えば制御部７０で平均化することにより、雑音等の干渉信号を抑圧できる。
【００２９】
第２段階は、制御部７０の制御により共通相関器ブロック１０のＲＥＦコード発生器１２からＳＳＣ用の共通参照符号構造２２１を生成し、共通相関器１１により受信信号２００とＳＳＣ用の共通参照符号構造２２１との相関が検出される。その相関出力２１０は、ＳＳＣ用相関器ブロック３０のＳＳＣ用相関器３１に入力され、制御部７０の制御によりＳＳＣ用相関器ブロック３０のＳＳＣ用ＲＥＦコード発生器３２から生成されたＳＳＣ用の第２の差異参照符号構造２２３との相関が検出される。この結果、規定されたタイミングで周期的なＳＳＣの相関出力信号２１２が得られる。この周期的なＳＳＣ相関出力２１２を、例えば制御部７０で平均化することにより、雑音等の干渉信号を抑圧できる。
【００３０】
ＳＳＣは、ロングコードを複数のロングコードグループにグループ化し、そのグループに割り当てた拡散符号すなわちロングコードグループコード（ＣＳ１，ＣＳ２，ＣＳ３・・・）であるため、そのすべてのＳＳＣに対し上記の相関演算を行う。その相関出力信号２１２は、制御部７０に格納され、その相関出力が最大となるＳＳＣ又はスロット毎にＳＳＣが可変された場合には、その相関出力が最大となるＳＳＣの組み合せを求めることにより、ロングコードグループ同定が実行される。
【００３１】
第３段階はロングコードグループ同定が完了しているため、サーチすべきロングコードが大きく絞られている。この絞られた複数のロングコードの中から目的のロングコードを決定するために、共通制御用チャネル９６または共通パイロットチャネル９７を利用して、すべての候補のロングコード一つ一つの相関が取られ、最大の相関値を与えるロングコードが選択される。本発明では、第３段階のロングコードサーチは、図１のサーチャー部１で実行するのではなく、同期／復調部８０で実行する。
【００３２】
同期／復調部８０は、パスサーチ部４０により規定された有効パス及びそのタイミング情報に基づき、ＤＬＬ（Delay Lock Loop）部５０のフィンガーで各パスに対応した同期捕捉、追従及び逆拡散が実行される。逆拡散された各パスは有効なパス数だけＲａｋｅ合成部６０で合成される。本発明では、第３段階のロングコードサーチは、各種シンボル復調用に用意されている同期／復調部８０で実行されるため、ロングコードサーチの本来の機能である逆拡散の機能のみでなく、同期追従／Ｒａｋｅ合成の機能をも備えている。このように、第３段階のロングコードサーチを同期／復調部８０で実行することにより、Ｒａｋｅ合成機能が実行され、また、Ｒａｋｅ合成後のロングコード信号レベルの測定が制御部７０で実行できるため、高機能なロングコードサーチが実現できる。さらに、同期／復調部８０に必要とされるフィンガー数は、Ｒａｋｅ合成すべきパス数、受信すべき制御用チャネル及び情報チャネル数に依存するため、高機能受信機では非常に多くのフィンガー数となるが、常時全てのフィンガーが動作するにはほとんど無い。従って、第３段階のロングコードサーチを同期／復調部８０で行うことにより、制御用シンボル及び情報シンボル復調と共用できるため、回路規模の増大を回避できる。
【００３３】
シンボル長の拡散符号長を持っているＰＳＣおよびＳＳＣ符号の一例として、図３（Ａ）に示すようにＮを正の整数とした場合、１シンボル長に対してＮチップ周期から成る単一コードがある。ＰＳＣおよびＳＳＣの他の構造としては、図３（Ｂ）のようにＮ１を正の整数とした場合、Ｎ１チップから成るサブコード（＋ａ）とその反転サブコード（−ａ）を定義して、ｍを正の整数とした場合、これらのサブコードの何れかを、ｍ個選択して並べることによりＮチップ長のコードが生成できる。
【００３４】
この場合、Ｎ，Ｎ１，ｍの関係は明らかに式（１）となる。
Ｎ＝Ｎ１・ｍ          （１）
【００３５】
Ｎ１チップから成るサブコード（±ａ）をｍ個選択して並べて生成したＮチップのコードは、サブコードの符号系列Ｌにより表現できる。例えば（＋ａ）（＋ａ）（−ａ）（−ａ）（十ａ）・・・・・（＋ａ）の場合、符号系列Ｌはｍ個の要素から成り、式（２）で表現できる。
Ｌ＝（１，１，−１，−１，１，・・・・・，１）      （２）
【００３６】
図３（Ａ）に示したＮチップの単一構造をもったＰＳＣに対するＭＦは、図１１の従来例で示したＮチップのＭＦ１１５で構成される。他方、図３（Ｂ）に示したサブコード構造に対する相関器は、サブコードの特質を利用したＭＦ又はＳＣで実現できるため、簡易な構成で相関器の機能を実現できるため、低消費電力化が可能となる。
【００３７】
＜第１の実施形態＞
このサブコード構造に対する相関器の第１の実施形態について図４〜図６を用いて説明する。
図４は、第１の実施の形態における共通相関器ブロックを示すブロック図である。図４に示す共通相関ブロック１０ａは、共通相関器１１ａと、ＲＥＦコード発生器１２ａとからなる。共通相関器１１ａは、Ｎ１段のシフトレジスタ１３、Ｎ１個の乗算器から成る乗算ブロック１４、そのＰＳＣ用の共通参照符号構造２２１を蓄積するＮ１チップのレジスタ１５、Ｎ１個の加算演算を行う加算器１６から構成されている。ＲＥＦコード発生器１２ａは、制御部７０からの制御信号２２０によりＰＳＣ用のＮ１チップの共通参照符号構造２２１を生成する。
【００３８】
このＰＳＣ用の共通参照符合構造２２１は、Ｎ１チップから成るサブコード（＋ａ）に対応するマッチトフィルタを構成するために使用する。受信信号２００は、Ｎ１段のシフトレジスタ１３に入力され、そのシフトレジスタ１３の各段から取り出された信号と、Ｎ１チップのレジスタ１５に蓄積されたＰＳＣ用の共通参照符号構造２２１とのＮ１段の乗算が乗算ブロック１４で実行され、それらの乗算結果を加算器１６により加算することにより、受信信号２００とＰＳＣ用の共通参照信号構造２２１との相関結果２１０が得られる。このように共通相関器１１ａはサブコード（＋ａ）のＮ１チップのＭＦを構成している。
【００３９】
図５は、第１の実施形態におけるＰＳＣ用相関ブロックを示すブロック図である。図５に示すＰＳＣ用相関ブロック２０ａは、ＰＳＣ用ＭＦ２１ａと、ＰＳＣ用ＲＥＦコード発生器２２ａとからなる。ＰＳＣ用ＭＦ２１ａは、Ｎ段のシフトレジスタ２３、ｍ個の乗算器から成る乗算ブロック２４、そのＰＳＣ用の第１の差異参照符号構造２２２を蓄積するｍチップのレジスタ２５、ｍ個の加算演算を行う加算器２６から構成されている。ＲＥＦコード発生器２２ａは、制御部７０からの制御信号２１２によりＰＳＣ用のｍチップの第１の差異参照符号構造２２２を生成する。このＰＳＣ用の第１の差異参照信号構造２２２は、ｍチップから成る符号系列Ｌに対応する。
【００４０】
サブコード（＋ａ）のｍチップのＭＦ出力信号２１０は、Ｎ段のシフトレジスタ２３に入力され、そのシフトレジスタ２３からＮ１段毎にｍ個のタップを取り出した信号と、レジスタ２５に蓄積されたＮ１チップのＰＳＣ用の第１の差異参照符号構造２２２とのｍ段の乗算が乗算ブロック２４で実行され、それらの乗算結果を加算器２６で加算することによりＰＳＣの相関結果２１１が得られる。この相関出力のピークタイミングがスロットタイミングである。このようにＰＳＣ用ＭＦ２１ａはｍタップのＭＦを構成している。このｍタップのＰＳＣ用ＭＦ２１と前記共通相関器１１ａによるＮ１チップのサブコード用ＭＦによりＮ段のＰＳＣ用ＭＦを構成できる。
【００４１】
次にロングコードグループの同定を行うためにＳＳＣの相関について説明する。ＳＳＣの構造としては、上記図３（Ｂ）で説明した符号構造と同様に、Ｎ１を正の整数とした場合、Ｎ１チップから成るサブコード（＋ｂ）とその反転サブコード（−ｂ）を定義して、これらのサブコードの何れかをｍを正の整数とした場合、ｍ個選択して並べることによりＮチップ長のコードが生成できる。この場合、Ｎ，Ｎ１，ｍの関係は明らかに上記式（１）となる。ここで、ＰＳＣのサブコードを（±ａ）と表現したが、ＳＳＣのサブコードはＰＳＣとは異なるサブコード（±ｂ）と表現する。ＳＳＣはＰＳＣと同様に、Ｎ１チップから成るサブコード（±ｂ）をｍ個選択して並べて生成したＮチップのコードは、サブコードの符号系列Ｃにより表現できる。例えば（＋ｂ）（＋ｂ）（＋ｂ）（−ｂ）（＋ｂ）‥…・（−ｂ）の場合、符号系列Ｃはｍ個の要素から成り、式（３）で表現できる。
Ｃ＝（１、１、１、−１、１、‥…・、−１）      （３）
【００４２】
ＳＳＣは、このようにＮ１個の要素から成るサブコード（＋ｂ）とｍ個の要素から成る符号系列Ｃから成り、その符号系列Ｃを可変することにより、複数のロングコードグループコード（ＣＳ１，ＣＳ２，ＣＳ３、・・・・）であるＳＳＣが規定される。ＳＳＣはＰＳＣのタイミング、例えばスロットタイミング毎に可変される場合があるため、全てのＳＳＣに対する相関を高速に実行する必要がある。
【００４３】
ＳＳＣの高速同定法について図１、図４、及び図６を用いて説明する。
制御部７０からの制御信号２２０によりＳＳＣ用のＮ１チップの共通参照符号構造２２１を生成するＲＥＦコード発生器１２ａを介して、そのＳＳＣ用の共通参照符号構造２２１を蓄積するＮ１チップのレジスタ１５にＮ１チップの共通参照符号構造２２１を蓄積する。このＮ１チップの共通参照符号構造はサブコード（＋ｂ）に対する参照符号構造であり、上述したＰＳＣと同様に共通相関器１１ａは動作する。ＰＳＣ同定は、前述したように実行されるため、ＳＳＣのバーストタイミングすなわち、スロットタイミングは判明する。このタイミングから受信信号２００をＮチップ分、すなわち１シンボル分、シフトレジスタ１３に入力すれば、共通相関器１１ａの出力信号２１０には、ＳＳＣの符号系列Ｃに依存した相関出力がＮ１チップ毎にｍ個存在する。
【００４４】
この相関出力２１０は、ＳＳＣ用相関ブロック３０ａに入力される。図６は、第１の実施形態におけるＳＳＣ用相関ブロックを示すブロック図である。ＳＳＣ用相関ブロック３０ａは、ＳＳＣ用相関器３１ａと、ＳＳＣ用ＲＥＦコード発生器３２ａとからなる。ＳＳＣ用相関器３１ａは、スイッチ３７、Ｎ段のシフトレジスタ３３、ｍ個の乗算器から成る乗算ブロック３４、そのＳＳＣ用の第２の差異参照符号構造２２３を蓄積するｍチップのレジスタ３５、ｍ個の加算演算を行う加算器３６から構成されている。ＲＥＦコード発生器３２は、制御部７０からの制御信号２３０によりＳＳＣ用のｍチップの第２の差異参照符号構造２２３を生成する。このＳＳＣ用の第２の差異参照信号構造２２３はｍチップから成る符号系列Ｃに対応する。
【００４５】
上記のように、決定されたスロットタイミングからＮチップ分、受信信号を入力するために、スイッチ３７をＯＮする。このスイッチ３７はＮチップ分入力された後に、ＯＦＦされることにより、受信を遮断する。Ｎチップ分、入力された時には、相関出力２１０は、Ｎ段のシフトレジスタ３３に１シンボル分入力され、そのシフトレジスタ３３からＮ１段毎にｍ個のタップを取り出した信号と、ｍチップのレジスタ３５に蓄積されたＳＳＣ用の第２の差異参照符号構造２２３とのｍ段の乗算が乗算ブロック３４で実行され、それらの乗算結果を加算器３６により加算することによりＳＳＣの相関結果２１２が得られる。その相関出力２１２は符号系列Ｃで規定された一つのＳＳＣに対する相関出力である。全てのＳＳＣに対する相関を検出するため、制御部７０からの制御信号２３０によりＳＳＣ用のｍチップから成る符号系列Ｃの第２の差異参照符号構造２２３を生成するＲＥＦコード発生器３２ａを制御し、その参照符号構造を蓄積するｍチップのレジスタ３５に順次設定することにより、全てのＳＳＣに対する相関を検出することができる。
【００４６】
スイッチ３７は、ロングコードグループコード（ＳＣ１，ＳＣ２，ＳＣ３・・・）を同定している間において、入力信号２１０は遮断されているため、スイッチがＯＮの時に入力されたＮチップ分の状態がシフトレジスタ３３に保持されている。従って、第２の差異参照符号構造を蓄積するｍチップのレジスタ３５に設定される参照符号が切り換えられる度に、符号系列Ｃで規定された一つのＳＳＣに対する相関出力が得られる。すべてのＳＳＣに対し上記の相関演算を行い、その相関出力信号２１２は、制御部７０に格納され、その相関出力が最大となるＳＳＣ又はスロット毎にＳＳＣが可変された場合には、その相関出力が最大となるＳＳＣの組み合せを求めることによりロングコードグループ同定が実行される。
【００４７】
＜第２の実施形態＞
図７、図８及び図９を用いて、本発明の第２の実施形態を説明する。この第２の実施形態は第１の実施形態におけるサブコードに対する相関と符号系列に対する相関の順序を入れ替えたものである。図５及び図６に示したＮ段のシフトレジスタ２３、３３は図４に示した共通相関器１１ａによるＮ１チップの相関出力信号２１０が入力されるため、多ビットで多段のシフトレジスタが必要とされる。サブコードのチップ数Ｎ１が増大するにつれて、相関出力２１０の出力振幅が増大するため、多くのビット数が必要になる。多ビットで多段のシフトレジスタを実現する回路規模が増大するため、第２の実施形態では上記のように、サブコードに対する相関と符号系列に対する相関の順序を入れ替える。
【００４８】
図７は、第２の実施形態における共通相関器ブロックを示すブロック図である。共通相関器ブロック１０ｂは、共通相関器１１ｂとＲＥＦコード発生器１２ｂとから構成される。共通相関器１１ｂは、スイッチ４７、Ｎ段のシフトレジスタ４３、ｍ個の乗算器から成る乗算ブロック４４、そのＰＳＣ用の共通参照符号構造２２１を蓄積するｍチップのレジスタ４５、ｍ個の加算演算を行う加算器４６から構成されている。ＲＥＦコード発生器１２ｂは、制御部７０からの制御信号２２０によりＰＳＣ用のｍチップの共通参照符号構造を生成する。このＰＳＣ用の共通参照符合構造２２１は、ｍチップから成る符号系列Ｌの相関を行うための符号である。
【００４９】
受信信号２００は、スイッチ４７をＯＮすることにより、Ｎ段のシフトレジスタ４３に入力され、そのシフトレジスタ４３からＮ１チップ毎に取り出した信号と、ｍチップのレジスタ４５に蓄積されたＰＳＣ用の共通参照符号構造２２１とのｍ段の乗算が乗算ブロック４４で実行され、それらの乗算結果を加算器４６により加算することにより、受信信号とＰＳＣ用の共通参照信号構造２２１との相関結果２１０が得られる。このように共通相関器１１ｂは符号系列ＬのｍチップのＭＦを構成している。
【００５０】
図８は、第２の実施形態におけるＰＳＣ用相関器２０ｂを示すブロック図である。ＰＳＣ用相関器２０ｂは、ＰＳＣ用ＭＦ２１ｂとＰＳＣ用ＲＥＦコード発生器２２ｂからなる。ＰＳＣ用ＭＦ２１ｂは、Ｎ１段のシフトレジスタ５３、Ｎ１個の乗算器から成る乗算ブロック５４、そのＰＳＣ用の第１の差異参照符号構造２２２を蓄積するＮ１チップのレジスタ５５、Ｎ１個の加算演算を行う加算器５６から構成されている。ＲＥＦコード発生器２２ｂは、制御部７０からの制御信号２１２によりＰＳＣ用のＮ１チップの第１の差異参照符号構造２２２を生成する。このＰＳＣ用の第１の差異参照符号構造２２２は、Ｎ１チップから成るサブコード（＋ａ）に対応する。
【００５１】
符号系列ＬのｍチップのＭＦ出力信号２１０は、Ｎ１段のシフトレジスタ５３に入力され、そのシフトレジスタ５３からＮ１個のタップを取り出した信号と、Ｎ１チップのレジスタ５５に蓄積されたＰＳＣ用の第１の差異参照符号構造２２２とのＮ１段の乗算が乗算ブロック５４で実行され、それらの乗算結果を加算器５６により加算することによりＰＳＣの相関結果２１１が得られる。この相関出力のピークタイミングがスロットタイミングである。このようにＰＳＣ用ＭＦ２１ｂは、Ｎ１タップのサブコード用ＭＦを構成している。このＮ１タップのＰＳＣ用ＭＦ２１ｂと前記共通相関器１１ｂによるｍチップの符号系列ＭＦにより、Ｎ段のＰＳＣ用ＭＦを構成できる。
このように本発明におけるＮ段のシフトレジスタ４３は、図７に示すように、相関前の受信信号２００が入力されるため、最小限のビット数でＮ段シフトレジスタが構成できる。
【００５２】
次に、ロングコードグループの同定を行うために、ＳＳＣの相関について説明する。図７において、制御部７０からの制御信号２２０によりＳＳＣ用のｍチップの共通参照符号構造２２１を生成するＲＥＦコード発生器１２ｂを介して、そのＳＳＣ用の共通参照符号構造２２１を蓄積するｍチップのレジスタ４５に、ｍチップの共通参照符号構造２２１を蓄積する。このｍチップの共通参照符号構造２２１は符号系列Ｃに対する参照符号であり、上述したＰＳＣと同様に共通相関器１１ｂは動作する。上記のように、ＰＳＣ同定が完了すれば、スロットタイミングは判明する。スイッチ４７をＯＮにすることにより、このタイミングから受信信号２００をＮチップ分シフトレジスタ４３に入力すれば、共通相関器１１ｂの出力信号２１０には、ＳＳＣの符号系列Ｃに依存した相関出力が存在している。
【００５３】
この相関出力２１０は、ＳＳＣ用相関器ブロック３０に入力される。図９は、第２の実施形態におけるＳＳＣ用相関器ブロックを示すブロック図である。ＳＳＣ用相関器ブロック３０ｂは、ＳＳＣ用相関器３１ｂとＲＥＦコード発生器３２ｂとからなる構成である。図９におけるＳＳＣ用相関器３１ｂは、乗算器６４、制御部７０からの制御信号２３０によりＳＳＣ用のＮ１チップの第２の差異参照符号構造２２３を生成するＲＥＦコード発生器３２ｂ、そのＳＳＣ用の第２の差異参照符号構造２２３を蓄積し、シフトするＮ１チップのシフトレジスタ６５、Ｎ１チップ分の積分を行う積分器６６から構成されている。このＳＳＣ用の第２の差異参照信号構造２２３は、Ｎ１チップから成るサブコード（＋ｂ）に対応しているため、ＳＳＣ用相関器３１ｂは入力信号２１０とＮ１チップのサブコードとのＳＣを構成している。
【００５４】
スロットタイミングからＮチップ分すなわち１シンボル分受信信号を入力するために、図７におけるスイッチ４７をＯＮする。このスイッチ４７は、Ｎチップ分入力された後に、ＯＦＦされることにより、受信を遮断する。Ｎチップ分入力されると同時に、相関出力信号２１０は、ＳＳＣ用相関器３１ｂに入力され、Ｎ１チップのシフトレジスタ６５に蓄積されたＳＳＣ用の第２の参照符号構造２２３と乗算及びＮ１チップ積分が実行されることにより、ＳＳＣの相関結果２１２が得られる。この相関出力２１２は、符号系列Ｃで規定された一つのＳＳＣに対する相関出力である。
【００５５】
全てのＳＳＣに対する相関を検出するため、制御部７０からの制御信号２２０により、ＳＳＣ用のｍチップから成る符号系列Ｃの他の参照符号構造を生成するＲＥＦコード発生器１２ｂを制御し、そのＳＳＣ用共通参照符号構造２２１を蓄積するｍチップのレジスタ４５に設定し、入力が遮断されているシフトレジスタ４８の状態をＮ１段シフトする。シフトレジスタ４３はフィードバックライン４８により状態は循環することになる。このように共通相関器１１ｂとＳＳＣ相関器３１ｂを用い、シフトレジスタ４８のＮ１段シフトとＮ１チップのＳＳＣ相関器３１ｂを同期して動作させることにより、シフトレジスタ４８がＮ１チップシフトする毎に、Ｎチップから成る一つＳＣＣに対する相関出力２１２がＳＳＣ相関器３１ｂから得られる。
【００５６】
このように、符号系列Ｃの参照符号構造の変更、受信信号入力が遮断されているシフトレジスタ４８の状態のＮ１段シフト、を順次実行することにより、全てのロングコードグループコード（ＳＣ１，ＳＣ２，ＳＣ３・・・・）に対する相関が実行される。
ＳＳＣは１シンボル長でＮチップから成るコードのため、１シンボル長の間にｍ種のＳＳＣ相関を検出できる。この相関出力２１２は制御部７０で平均化及び各ＳＳＣによる相関値の比較が行われ、目的のＳＳＣが決定される。
【００５７】
＜第３の実施形態＞
本発明の第３の実施形態を説明する。第２の実施形態において、ＳＣＣ用相関器３１ｂは図９のようにＳＣで実現したが、図８に示すＰＳＣ用ＭＦ２１ｂをＳＳＣに対しても共通に利用できる。すなわち、制御部７０からの制御信号２１２によりＳＳＣ用のＮ１チップの差異参照符号を生成するために、ＲＥＦコード発生器２２ｂを制御することで実現できる。一般にＰＳＣの相関とＳＳＣの相関は同時に実行することはないので、共通に利用する事により回路規模の削減が可能となる。
【００５８】
本発明では、ＰＳＣに関する相関ピーク値により有効な受信信号の有無、スロットタイミングの判定、ＳＳＣ同定及びロングコード同定等のプロセスが作動するため、相関ピーク値の測定には高精度が要求される。高精度な相関ピーク測定のためには、十分な平均化処理を行い、また、閾値を設ける事により有効信号の有無の判定を行えば、誤って上記複雑なプロセスが開始されることが防止できる。
【００５９】
図２に示した共通制御用チャネル９６は、報知情報等の制御信号シンボルを伝送する部分９２と無信号部であるマスクシンボル部１０１から構成されており、また、ＣＤＭＡセルラーシステムでは、共通パイロットシンボルのみを送信する共通パイロットチャネルがある。これらのチャネルは上述したように同一基地局では、ロングコードは共通であるが、既知の異なるショートコードで区別されている。上記した発明では、ロングコード同定は共通制御チャネル９６または共通パイロットチャネル９７の何れかを利用して実行する。
【００６０】
ロングコードの同定をロングコードタイミングが同期している共通制御チャネル９６と共通パイロットチャネル９７の両チャネルを利用し、合成することによりロングコード同定の精度が向上する。ロングコード同定のための逆拡散は、図９の積分器６６においてショートコード周期であるシンボル単位で積分することにより、共通制御チャネル９６と共通パイロットチャネル９７で異なるショートコードの効果及び異なるシンボル情報の効果を排除できる。
【００６１】
【発明の効果】
以上説明したように、本発明によれば、ロングコードサーチを復調部で実行することにより、Ｒａｋｅ合成機能が実行され、また、Ｒａｋｅ合成後のロングコード信号レベルの測定が制御部で実行できるため、高機能なロングコードサーチが実現できる。さらに、復調部に必要とされるフィンガー数は、Ｒａｋｅ合成すべきパス数、受信すべき制御用チャネル及び情報チャネル数に依存するため、高機能受信機では非常に多くのフィンガー数となるが、常時全てのフィンガーが動作するにはほとんど無いので、ロングコードサーチを復調部で行うことにより、制御用シンボル及び情報シンボル復調と共用できるため、回路規模の増大を回避できる。
【００６２】
また、本発明によれば、サブコード構造に対する相関器が、サブコードの特質を利用したＭＦ又はＳＣで実現できるため、簡易な構成で相関器の機能を実現でき、低消費電力化が可能となる。
【００６３】
また、第３及び第４の発明によれば、ショートコード相関器ブロックを１つで第１及び第２のショートコードの相関を検出するので、回路規模の削減が可能となる。
【００６４】
第５の発明によれば、第１のショートコードに対する相関値による複数シンボル分の平均化を行い、その相関値のピークがあらかじめ規定された閾値以上の場合に、ロングコードグループ同定を行うので、高精度な相関ピーク測定を行うことができ、有効信号の有無の判定を正確に行うことができ、誤って上記複雑なプロセスが開始されることが防止できる。
【００６５】
第６の発明によれば、ロングコードの同定をロングコードタイミングが同期している共通制御チャネルと共通パイロットチャネルの両チャネルを利用し、合成するので、ロングコード同定の精度が向上する。
【００６６】
第７及び第８の発明によれば、サブコードの符号長毎にタップしたシフトレジスタを備えているので、シフトレジスタの状態のシフトを順次実行することにより、全てのロングコードグループコードに対する相関が実行される。
【００６７】
第９の発明によれば、第２のショートコードのサブコードに対するスライディング相関器の積分時間は、ショートコード周期長と同一かそれ以下であるので、相関値を同相で加算できるため、ロングコード同定精度が向上する。
〜。
【図面の簡単な説明】
【図１】本発明の直接拡散方式を利用したＣＤＭＡシステムの受信部のブロック図を示している。
【図２】基地局から送信されるＣＤＭＡ信号の構成を示す説明図である。
【図３】シンボル長の拡散符号長を持っているショートコードの構成を示す説明図である。
【図４】第１の実施の形態における共通相関器ブロックを示すブロック図である。
【図５】第１の実施形態におけるＰＳＣ用相関ブロックを示すブロック図である。
【図６】第１の実施形態におけるＳＳＣ用相関ブロックを示すブロック図である。
【図７】第２の実施形態における共通相関器ブロックを示すブロック図である。
【図８】第２の実施形態におけるＰＳＣ用相関器を示すブロック図である。
【図９】第２の実施形態におけるＳＳＣ用相関器ブロックを示すブロック図である。
【図１０】従来のある一つの基地局の制御チャネル構成を示している説明図である。
【図１１】従来のコードに対するセルサーチ法を実行するＣＤＭＡ受信装置のブロック図である。
【図１２】従来の３段階セルサーチ法における制御チャネルの拡散符号の構成を示す説明図である。
【符号の説明】
１  サーチャー部
１０  共通相関器ブロック
１１  共通相関器
１２，２２，３２  ＲＥＦコード発生器
１３，２３，３３，４３  シフトレジスタ
１４，２４，３４，４４  乗算ブロック
１５，２５，３５，４５  レジスタ
１６，２６，３６，４６  加算器
２０  ＰＳＣ用相関ブロック
２１  ＰＳＣ用ＭＦ
３０  ＳＳＣ用相関ブロック
３１  ＳＳＣ用相関器
３７，４７  スイッチ
４０パスサーチ部
５０  ＤＬＬ部
６０  Ｒａｋｅ合成部
７０  制御部
８０  同期／復調部
【図１】
0003824482.tif 000002
【図２】
0003824482.tif 000003
【図３】
0003824482.tif 000004
【図４】
0003824482.tif 000005
【図５】
0003824482.tif 000006
【図６】
0003824482.tif 000007
【図７】
0003824482.tif 000008
【図８】
0003824482.tif 000009
【図９】
0003824482.tif 000010
【図１０】
0003824482.tif 000011
【図１１】
0003824482.tif 000012
【図１２】
0003824482.tif 000013